(57)【要約】【課題】冊子に装着したＩＤ識別媒体を、新冊子への更新時に回収使用する方法とＩＤ識別媒体付き冊子を提供する。【解決手段】本発明のＩＤ識別媒体の回収使用方法の実施形態の１は、少なくとも表面を剥離性処理したＩＤ識別媒体２を、当該ＩＤ識別媒体よりも大きな面積を有し一面側に粘着剤層を有する固着用カバーフィルム３の当該粘着剤層面と前記剥離性処理面が接するようにして冊子面に当該粘着剤層によりＩＤ識別媒体２を固着して、ＩＤ識別媒体付き冊子１として冊子を使用し、使用済み後に冊子を新冊子に更新する際は、前記固着用カバーフィルム３を冊子面から剥離してＩＤ識別媒体２を取り出し、当該ＩＤ識別媒体を新冊子に継続使用することを特徴とする。上記の実施形態に加へ、切り込み付きフィルムやマジックテープ（商標）を使用する方法の他、各種の実施形態が可能である。【選択図】    図１
2004276353.tif 000002
【特許請求の範囲】
【請求項１】
少なくとも表面を剥離性処理したＩＤ識別媒体を、当該ＩＤ識別媒体よりも大きな面積を有し一面側に粘着剤層を有する固着用カバーフィルムの当該粘着剤層面と前記剥離性処理面が接するようにして冊子面に当該粘着剤層によりＩＤ識別媒体を固着して、ＩＤ識別媒体付き冊子として冊子を使用し、使用済み後に冊子を新冊子に更新する際は、前記固着用カバーフィルムを冊子面から剥離してＩＤ識別媒体を取り出し、当該ＩＤ識別媒体を新冊子に同様にして固着し継続使用することを特徴とするＩＤ識別媒体の回収使用方法。
【請求項２】
冊子面と当該冊子面を被覆するフィルム間の少なくとも一部を再剥離可能な粘着性面とし、冊子の当該再剥離可能な粘着性面と被覆フィルムの間にＩＤ識別媒体を固着して、ＩＤ識別媒体付き冊子として冊子を使用し、使用済み後に冊子を新冊子に更新する際は、前記再剥離可能な粘着性面の被覆フィルムを剥離してＩＤ識別媒体を取り出し、当該ＩＤ識別媒体を新冊子に同様にして固着し継続使用することを特徴とするＩＤ識別媒体の回収使用方法。
【請求項３】
ＩＤ識別媒体の角部を差し込み可能な切り込み部を有する冊子の当該切り込み部内にＩＤ識別媒体の角部を挿入して固定し、ＩＤ識別媒体付き冊子として冊子を使用し、使用済み後に冊子を新冊子に更新する際は、前記切り込み部から抜き取ってＩＤ識別媒体を取り出し、当該ＩＤ識別媒体を新冊子に同様にして固定し継続使用することを特徴とするＩＤ識別媒体の回収使用方法。
【請求項４】
裏面にマジックテープを貼着したＩＤ識別媒体を、同様にマジックテープを有する冊子面に、ＩＤ識別媒体のマジックテープ面と冊子のマジックテープ面が接するようにして押圧してＩＤ識別媒体を固定し、ＩＤ識別媒体付き冊子として冊子を使用し、使用済み後に冊子を新冊子に更新する際は、前記マジックテープ面から剥離してＩＤ識別媒体を取り出し、当該ＩＤ識別媒体を新冊子に同様にして固定し継続使用することを特徴とするＩＤ識別媒体の回収使用方法。
【請求項５】
冊子が金融機関で用いられる通帳であることを特徴とする請求項１から請求項４のいずれか１の請求項に記載のＩＤ識別媒体の回収使用方法。
【請求項６】
剥離性処理面がＩＤ識別媒体の表裏面に形成されていることを特徴とする請求項１記載のＩＤ識別媒体の回収使用方法。
【請求項７】
切り込み部が切り込み付きフィルムを冊子に貼着して設けられたたものであることを特徴とする請求項３記載のＩＤ識別媒体の回収使用方法。
【請求項８】
ＩＤ識別媒体を回収使用するための冊子であって、少なくとも表面に剥離性処理面を有するＩＤ識別媒体を当該ＩＤ識別媒体よりも大きな面積を有し一面側に粘着剤層を有する固着用カバーフィルムにより当該粘着剤層面と前記剥離性処理面が接するようにして冊子面に当該粘着剤層によりＩＤ識別媒体を固着したことを特徴とするＩＤ識別媒体付き冊子。
【請求項９】
ＩＤ識別媒体を回収使用するための冊子であって、冊子面と当該冊子面を被覆するフィルム間の少なくとも一部を再剥離可能な粘着性面とし、当該フィルムの再剥離可能な粘着性面と冊子表面間にＩＤ識別媒体を固着したことを特徴とするＩＤ識別媒体付き冊子。
【請求項１０】
ＩＤ識別媒体を回収使用するための冊子であって、ＩＤ識別媒体をＩＤ識別媒体の角部を差し込み可能な切り込み部を有する冊子の当該切り込み部内に挿入して固定したことを特徴とするＩＤ識別媒体付き冊子。
【請求項１１】
ＩＤ識別媒体を回収使用するための冊子であって、裏面にマジックテープ面を形成したＩＤ識別媒体を、同様にマジックテープ面を有する冊子面に、ＩＤ識別媒体のマジックテープ面と冊子のマジックテープ面が接するようにして押圧してＩＤ識別媒体を固定したことを特徴とするＩＤ識別媒体付き冊子。
【請求項１２】
冊子が金融機関で用いられる通帳であることを特徴とする請求項８から請求項１１のいずれか１の請求項に記載のＩＤ識別媒体付き冊子。
【請求項１３】
剥離性処理面がＩＤ識別媒体の表裏面に形成されていることを特徴とする請求項８記載のＩＤ識別媒体付き冊子。
【請求項１４】
切り込み部が切り込み付きフィルムを冊子に貼着して設けられたものであることを特徴とする請求項１０記載のＩＤ識別媒体付き冊子。
【発明の詳細な説明】
【０００１】
【発明の属する技術分野】
本発明は、記帳機等の自動機器で認識するためのＩＤ識別媒体を備え、取引履歴等を継続して記帳する用途の冊子において、冊子の記帳頁が満行となり新冊子に更新する際に、ＩＤ識別媒体を旧冊子から取り外し可能とし、取り外したＩＤ識別媒体を新冊子側に再固着または再固定し継続使用することを可能とした冊子に関する。
したがって、本発明は識別媒体であるＩＤ識別媒体の利用コスト低減が目的の一であるが、他の観点からみれば冊子を廃棄する際の機密維持やエコロジー性をも考慮するものである。
本発明の利用例を挙げれば、金融機関における通帳をはじめとして、医療機関や調剤薬局で交付する投薬履歴を記録する冊子、原子力関連施設において従事者向けに交付する放射線管理手帳、等がある。
【０００２】
【従来技術】
従来より、非接触ＩＣタグ等のＩＤ識別媒体は、各種の情報を非接触で記録でき、記録した情報を管理情報やＩＤ情報として利用できるので、各種商品や情報媒体、輸送荷物等に使用されるようになってきている。
銀行通帳等の冊子にも利用することが提案されており、その先行技術文献としては、特許文献１や特許文献２等がある。
なお、本出願において、ＩＤ識別媒体とは、非接触ＩＣタグ、非接触ＩＣモジュール、無線タグ、ＲＦＩＤタグ、非接触データキャリア、等と呼ばれる媒体であって、メモリと制御部等からなるＩＣチップを有しアンテナを介して、外部リーダライタと近接距離間の非接触交信ができる札入れサイズ程度以下のラベル状媒体をいうものとする。
【０００３】
非接触ＩＣタグは、かなり高価であることと、記録データを継続して使用することが好ましいことから冊子の更新の際は取り外して回収使用ことが好ましいが、上記特許文献１や特許文献２では、特に非接触ＩＣタグの繰り返し使用を考慮した提案はされていない。
特許文献３には、ベース材と被覆材とからなり、その周囲四方内面が接着剤層で重ね合わされて接合している材料の、そのベース材と被覆材との間の内面に、ＩＣタグが非接着状態で装填される封入体が、回収容易な封入体として提案されている。
【０００４】
【特許文献１】特開２０００−１５３６８１号公報
【特許文献２】特開２０００−２８９３７３号公報
【特許文献３】特開２００２−１５７５６９号公報
【０００５】
【発明が解決しようとする課題】
しかし、特許文献３の封入体は、ベース材と被覆材との重ね合わせ内面に非接触ＩＣタグを非接着状態で封入する構造だから被覆材が破損した場合は脱落するおそれも有り、通帳等の冊子に使用する場合は必ずしも適切とは考えられない。また、第三者の悪用を防止する手段を講ずる必要もある。
また、非接触ＩＣタグ等の付いた冊子は、機密情報を担持することもあって通常の紙類の様に焼却したり溶解するだけの処理ができず、分別処理が必要となる問題もある。
そこで、本発明では通帳等の冊子に回収使用可能な状態で適用し得る形態を研究して本発明の完成に至ったものである。
【０００６】
【課題を解決するための手段】
上記課題を解決するための本発明の要旨の第１は、少なくとも表面を剥離性処理したＩＤ識別媒体を、当該ＩＤ識別媒体よりも大きな面積を有し一面側に粘着剤層を有する固着用カバーフィルムの当該粘着剤層面と前記剥離性処理面が接するようにして冊子面に当該粘着剤層によりＩＤ識別媒体を固着して、ＩＤ識別媒体付き冊子として冊子を使用し、使用済み後に冊子を新冊子に更新する際は、前記固着用カバーフィルムを冊子面から剥離してＩＤ識別媒体を取り出し、当該ＩＤ識別媒体を新冊子に同様にして固着し継続使用することを特徴とするＩＤ識別媒体の回収使用方法、にある。
【０００７】
上記課題を解決するための本発明の要旨の第２は、冊子面と当該冊子面を被覆するフィルム間の少なくとも一部を再剥離可能な粘着性面とし、冊子の当該再剥離可能な粘着性面と被覆フィルムの間にＩＤ識別媒体を固着して、ＩＤ識別媒体付き冊子として冊子を使用し、使用済み後に冊子を新冊子に更新する際は、前記再剥離可能な粘着性面の被覆フィルムを剥離してＩＤ識別媒体を取り出し、当該ＩＤ識別媒体を新冊子に同様にして固着し継続使用することを特徴とするＩＤ識別媒体の回収使用方法、にある。
【０００８】
上記課題を解決するための本発明の要旨の第３は、ＩＤ識別媒体の角部を差し込み可能な切り込み部を有する冊子の当該切り込み部内にＩＤ識別媒体の角部を挿入して固定し、ＩＤ識別媒体付き冊子として冊子を使用し、使用済み後に冊子を新冊子に更新する際は、前記切り込み部から抜き取ってＩＤ識別媒体を取り出し、当該ＩＤ識別媒体を新冊子に同様にして固定し継続使用することを特徴とするＩＤ識別媒体の回収使用方法、にある。
【０００９】
上記課題を解決するための本発明の要旨の第４は、裏面にマジックテープを貼着したＩＤ識別媒体を、同様にマジックテープを有する冊子面に、ＩＤ識別媒体のマジックテープ面と冊子のマジックテープ面が接するようにして押圧してＩＤ識別媒体を固定し、ＩＤ識別媒体付き冊子として冊子を使用し、使用済み後に冊子を新冊子に更新する際は、前記マジックテープ面から剥離してＩＤ識別媒体を取り出し、当該ＩＤ識別媒体を新冊子に同様にして固定し継続使用することを特徴とするＩＤ識別媒体の回収使用方法、にある。
【００１０】
上記課題を解決するための本発明の要旨の第５は、ＩＤ識別媒体を回収使用するための冊子であって、少なくとも表面に剥離性処理面を有するＩＤ識別媒体を当該ＩＤ識別媒体よりも大きな面積を有し一面側に粘着剤層を有する固着用カバーフィルムにより当該粘着剤層面と前記剥離性処理面が接するようにして冊子面に当該粘着剤層によりＩＤ識別媒体を固着したことを特徴とするＩＤ識別媒体付き冊子、にある。
【００１１】
上記課題を解決するための本発明の要旨の第６は、ＩＤ識別媒体を回収使用するための冊子であって、冊子面と当該冊子面を被覆するフィルム間の少なくとも一部を再剥離可能な粘着性面とし、当該フィルムの再剥離可能な粘着性面と冊子表面間にＩＤ識別媒体を固着したことを特徴とするＩＤ識別媒体付き冊子、にある。
【００１２】
上記課題を解決するための本発明の要旨の第７は、ＩＤ識別媒体を回収使用するための冊子であって、ＩＤ識別媒体をＩＤ識別媒体の角部を差し込み可能な切り込み部を有する冊子の当該切り込み部内に挿入して固定したことを特徴とするＩＤ識別媒体付き冊子、にある。
【００１３】
上記課題を解決するための本発明の要旨の第８は、ＩＤ識別媒体を回収使用するための冊子であって、裏面にマジックテープ面を形成したＩＤ識別媒体を、同様にマジックテープ面を有する冊子面に、ＩＤ識別媒体のマジックテープ面と冊子のマジックテープ面が接するようにして押圧してＩＤ識別媒体を固定したことを特徴とするＩＤ識別媒体付き冊子、にある。
【００１４】
【発明の実施の形態】
本発明は、履歴を継続的に記帳する冊子において、冊子自体のＩＤを認識するために設けられるＩＤ識別媒体を記帳機（プリンタ）が認識し、接続された上位機器からのデータをプリントするもので、冊子の記帳頁が終了し新たな冊子を繰越し再発行（更新）する際に、同じＩＤ識別媒体を回収して旧冊子から新冊子に再利用することを目的とするものである。
【００１５】
ＩＤ識別媒体をその被着体である冊子へ固着または固定し、使用後に新冊子へ移し替えるには、以下の方法が考えられる。
（１）ＩＤ識別媒体の少なくとも表面に剥離性処理層を設け、裏面に粘着層を有しＩＤ識別媒体よりは一回り大きな外形寸法の固着用カバーフィルムで被着体である冊子の表紙または裏表紙面に固着する方法である。繰越し更新時には旧冊子のカバーフィルムを剥がして冊子面からＩＤ識別媒体を取り出し、新たなカバーフィルムで新冊子に再固着して継続使用する。
【００１６】
（２）冊子の表紙または裏表紙面と当該冊子面を被覆するフィルム間の少なくとも一部を再剥離可能な粘着性面とし、冊子の当該再剥離可能な粘着性面と被覆フィルムの間にＩＤ識別媒体を固着する方法である。繰越し更新時には粘着性面からＩＤ識別媒体を取り出し、新冊子の粘着性面と被覆フィルムの間に挿入して継続使用する方法である。
（３）冊子の表紙または裏表紙面の一部に、固着するＩＤ識別媒体の矩形状のコーナー部を差し込む「切り込み部」を設け、当該切り込み部分にＩＤ識別媒体を挿入して固定する方法で、繰越し更新時には旧冊子から抜き取ってＩＤ識別媒体を取り出し、新冊子に挿入して継続使用する方法である。
【００１７】
（４）被着体である冊子のＩＤ識別媒体貼付部とＩＤ識別媒体の裏面の双方に、鉤形状とループ形状からなるラベルであるマジックテープを使用して固定し、繰越し更新時には旧冊子から剥離してＩＤ識別媒体を取り出し、新冊子に固定して継続使用する方法である。
【００１８】
以下、図面を参照して本発明のＩＤ識別媒体の回収使用方法とＩＤ識別媒体付き冊子について説明する。
図１は、第１実施形態を示す図、図２は、同断面図、図３は、第２実施形態を示す図、図４は、同断面図、図５は、第３実施形態を示す図、図６は、同断面図、図７は、第３実施形態の他の態様を示す図、図８は、第４実施形態を示す断面図、図９は、非接触ＩＣタグの例を示す図、である。
【００１９】
本発明のＩＤ識別媒体の回収使用方法の第１実施形態は、図１の構成からなる冊子を使用する。図１（Ａ）は、ＩＤ識別媒体２を冊子１に貼着する前の状態、図１（Ｂ）は、ＩＤ識別媒体２を冊子１にＩＤ識別媒体２を貼着した後の状態、図２は、図１（Ｂ）のＡ−Ａ線断面を示している。
図１（Ａ）のように、ＩＤ識別媒体２は、冊子１の表紙に固着用カバーフィルム３を使用して固着する。ＩＤ識別媒体２の少なくとも固着用カバーフィルム３に接する面は、後の再使用のために取り出す際に剥離容易なように剥離性処理面にされている。固着用カバーフィルム３のＩＤ識別媒体２と冊子の表紙に接する面側全体は粘着剤層にされている。
【００２０】
ＩＤ識別媒体２を冊子に固着する面は、冊子の表紙（１）か表紙（４）面、あるいはそれらの内面、すなわち表紙（２）または表紙（３）面が好ましい。冊子１の内部の本文ページに固着すると凹凸が生じ印字の支障となるからである。
なお、表紙（１）とは、冊子の記帳ページを内側にして冊子を伏せた場合に、冊子が通帳の場合は金融機関名や口座番号等を表示する面を言い、表紙（４）とは裏表紙になる外面を言う。表紙（２）とは表紙（１）内面の見返し部を、表紙（３）とは表紙（４）の内面の見返し部を言う。
また、凹凸のあるＩＤ識別媒体２は、面積が確保できれば、冊子の非印字エリアに固着または固定することが好ましい。このことは、以下の各実施形態においても同様である。通常は、冊子を開いた際の上下部分の一定幅領域が非印字エリアになる。
【００２１】
ＩＤ識別媒体２を冊子１に固着した後は、図１（Ｂ）または図２の断面図のように固着用カバーフィルム３の周囲部分の粘着剤層３ｎが冊子の表紙１ｂに貼着されるので、ＩＤ識別媒体２は、表紙に堅固に固着された状態になる。
冊子１を新冊子に更新する際は、固着用カバーフィルム３を表紙１ｂ面から剥離すれば、ＩＤ識別媒体２は剥離性処理面２ｓにより、固着用カバーフィルム３から容易に取り外しすることができる。
固着用カバーフィルム３は、脆性ホログラムラベルや割り印付きラベル、あるいは各種張り替え防止セキュリティラベルとすることができる。
【００２２】
表紙のＩＤ識別媒体２が接する面に粘着剤を塗工しても良く、この場合はＩＤ識別媒体２の裏面側も剥離離性処理面にすることが好ましい。僅かな面ではあるがＩＤ識別媒体２の側面も処理面にすることがさらに好ましい。このような剥離性処理は、ＩＤ識別媒体２を個別に截断した後に剥離処理剤に浸漬するか、截断前の表裏面を剥離性処理することにより行うことができる。
【００２３】
本発明のＩＤ識別媒体の回収使用方法の第２実施形態は、図３の構成からなる冊子を使用する。図３（Ａ）はＩＤ識別媒体２を冊子１に貼着する前の状態、図３（Ｂ）はＩＤ識別媒体２を冊子１に貼着した後の状態、図４は、図３（Ｂ）のＡ−Ａ線断面を示している。
第２実施形態のＩＤ識別媒体２付き冊子は、例えば表紙（３）にフィルムが被覆されていて、表紙（３）の少なくとも一部が、当該被覆フィルム４と冊子１の表紙１ｂ間が再剥離可能な粘着剤層面にされている。ＩＤ識別媒体２は被覆フィルム４と再剥離可能な粘着剤層間内に挿入して固着することができる。
被覆フィルム４を冊子１の表紙（３）に再度粘着させた場合は、図３（Ｂ）または図４の断面図のように被覆フィルム４の周囲部分が粘着剤層４ｎが冊子の表紙１ｂに貼着されるので、ＩＤ識別媒体２は、表紙（３）に堅固に固着された状態になる。
【００２４】
このようなＩＤ識別媒体２の固着方法は、アルバムにプリント写真を固定する方法で良く知られている。冊子紙面に再粘着可能な粘着剤を全面またはストライプ状に塗布し、被覆フィルム４側にも粘着剤を塗工するか、あるいは柔軟なフィルムを用いてフィルム４側には特別な粘着剤を塗工しない場合であっても良い。
あるいは冊子側は剥離性処理のみをして、被覆フィルム４側にのみ粘着処理するものであっても良い。
表紙（４）を被覆するフィルム４の全面が剥離しては好ましくないので、図４のように冊子との間で強接着部４ｂを形成するのが好ましい。また、ＩＤ識別媒体２のいずれか（または双方）の粘着剤層に接する面側は実施形態１と同様に剥離性処理をするのが好ましい。
【００２５】
再剥離性粘着剤としては、常温で粘弾性を有し互いに接触する両面を一時的に接着させると共に、外力を加えると容易に剥離するもので、この粘着力が長く維持されるものが好ましい。一般に弱粘着剤と呼ばれるものが使用される。
例えば、アクリル系粘着剤、ポリイソブチレン系粘着剤、マレイン酸アミド系粘着剤、天然ゴム系粘着剤、ＳＢＲ系粘着剤、ブチルゴム系粘着剤などの中で、粘着力の比較的弱いものが挙げられる。
【００２６】
本発明のＩＤ識別媒体の回収使用方法の第３実施形態は、図５の構成からなる冊子を使用する。図５（Ａ）はＩＤ識別媒体２を冊子１に貼着する前の状態、図５（Ｂ）はＩＤ識別媒体２を冊子１に貼着した後の状態、図６は、図５（Ｂ）のＡ−Ａ線断面を示している。
冊子１の表紙の紙層にＩＤ識別媒体２の角部を差し込み可能なように、切り込み部５ａ，５ｂ，５ｃ，５ｄを有する切り込み付きフィルム５を貼着する。
多くのＩＤ識別媒体２は矩形状にされているので、その４隅をこの切り込み部に差し込んで固定することができる。
【００２７】
ＩＤ識別媒体２を冊子１に貼着した後は、図５（Ｂ）の状態になり、その断面図は図６のようになる。切り込み付きフィルム５は粘着剤層５ｎにより冊子の表紙１ｂに貼着されていて、ＩＤ識別媒体２は４隅の角部が切り込み５ａ，５ｂ，５ｃ，５ｄの中に挿入されて固定されている。
このようなＩＤ識別媒体２の固定方法であれば、矩形状シートのＩＤ識別媒体２を冊子に容易に差し込んで装着でき、更新の際の抜き取りも容易である。
【００２８】
図７は、第３実施形態の他の態様を示す図である。
第３実施形態は切り込み付きフィルム５を使用することに限られず、冊子１の表紙１ｂの紙層にＩＤ識別媒体２の角部を差し込み可能なように、切り込み部を直接形成するものであっても良い。
切り込み部が表紙を貫通して裏面にＩＤ識別媒体２の角部が抜き出るだけでは体裁が良くないので、表紙は部分的に離間剥離可能な層構造に形成し当該層間にＩＤ識別媒体２の角部を挿入するようにするのが好ましい。
【００２９】
図７（Ａ）は、切り込み部５ａ，５ｂ，５ｃ，５ｄを冊子の表紙１ｂに形成した状態、図７（Ｂ）は、当該切り込み部にＩＤ識別媒体２を差し込んで固定した状態を示している。層間剥離可能な層構造は、表紙１ｂ最表面のフィルム層と紙基材等との間により形成することもできる。
第３実施形態で固定する場合は、密着性がやや弱いので、冊子の見返し部である表紙（２）または表紙（３）に設けることが好ましい。
【００３０】
本発明のＩＤ識別媒体の回収使用方法の第４実施形態は、図８の構成を有する冊子を使用して行う。図８（Ａ）は、ＩＤ識別媒体２を冊子１に固定する前の状態、図８（Ｂ）は、ＩＤ識別媒体２を冊子１に固定した後の状態、の断面図である。この実施形態では、ＩＤ識別媒体２と冊子１の双方の互いに接する面に、いわゆるマジックテープ（またはファスナー）６ａ，６ｂを貼着して行う。
マジックテープは良く知られるように、互いに引き掛けられるようになっている基材７面上の多数の微小鉤止部材とそれに対向する他の基材上のループ状体とがあって、両部材を向かい合わせて圧着することにより、鉤止部材側のマジックテープ６ａとループ状体側のマジックテープ６ｂとが引っ掛かり合って他方を一方側に固定するものである。
【００３１】
ＩＤ識別媒体２を冊子１に押圧して固定した後は、図８（Ｂ）のように、マジックテープ６ａ，６ｂ間が強固に結合してＩＤ識別媒体２を表紙に固定することができる。再剥離する場合もある程度の力を加えれば剥離可能であって再使用に支障となる問題は生じない。
マジックテープの市販品として、「ベルクロテープ（商標）」等があり、支持体の裏面に強力な両面粘着剤層６ｎを貼着したタイプも市販されている。
【００３２】
図９は、ＩＤ識別媒体である非接触ＩＣタグの例を示す図であるが、これ以外の各種のものが市販されている。図９のものは、基材フィルム２ｆに正方形状にアンテナコイル２ｂを形成しているが、細長い形状のものも勿論可能である。
アンテナコイル２ｂには基材フィルム２ｆの裏面を通じる導通部材２ｋが用いられ、その両端部にＩＣチップ２ａが装着されている。
アンテナコイル２ｂは基材フィルム２ｆにラミネートされたアルミや銅箔をエッチングして形成したものである。アンテナコイル２ｂ面は保護フィルムにより被覆されている。
【００３３】
ＩＣチップ２ａは、送受信回路、メモリ、メモリ読み書き動作用ロジック回路などにより構成され、アンテナコイル２ｂが受信した電波の誘導電力によりＩＣタグ２ａの各回路が動作し、ロジック回路はアンテナコイル２ｂが受信した所定データをメモリに書込み記憶させたり、所定データをメモリから読み出すことが可能である。メモリは特定の命令によりデータを消去可能であり、また電力がない状態でもデータをそのまま保存することができる。
【００３４】
【実施例】
（実施例１）
冊子の表紙材料として、６０番手の綿布クロス紙（厚さ０．１５０ｍｍ）を使用し、本文部ページには、９０ｋｇ／四六判（厚さ０．１０５ｍｍ）を使用して冊子１を準備した。
別に、ＩＤ識別媒体２を固着するため、厚み３０μｍのポリエチレンテレフタレートフィルム（ＰＥＴフィルム）製で大きさが４０ｍｍ×２６ｍｍの片面に両面粘着テープを貼着して固着用カバーフィルム３を準備した。
ＩＤ識別媒体２として、アンテナ外形２８ｍｍ×１２ｍｍの非接触ＩＣタグ（「大日本印刷株式会社製「Ａｃｃｕｗａｖｅ（商標）」）を使用し、その表裏面にエポキシ系熱硬化性樹脂を塗工して剥離性処理面とした。
このＩＤ識別媒体２を前記粘着テープ付き固着用カバーフィルム３の中央に位置するように通帳の表紙（４）に貼り付けて固着し、第１実施形態のＩＤ識別媒体付き冊子１が得られた。
【００３５】
（実施例２）
実施例１と同様にして、通帳の表紙および本文部ページが同一材料からなる冊子１を準備したが、この表紙（３）面には、厚み４０μｍのＰＥＴフィルムを本文部ページ綴じ代部分側を強接着させて被覆フィルム４とした。
さらに、ＩＤ識別媒体２を固着する冊子の下端部幅３０ｍｍ部分をマレイン酸アミド系共重合物からなる粘着剤を乾燥重量で３〜４ｇ／ｍ２  なるように塗被して再剥離可能な粘着性面とした。
この再剥離可能な粘着性面内に、アンテナ外形２８ｍｍ×１２ｍｍの非接触ＩＣタグ（「大日本印刷株式会社製「Ａｃｃｕｗａｖｅ（商標）」）を粘着性面に固着してから被覆フィルム４を被せて、第２実施形態のＩＤ識別媒体付き冊子１が得られた。
【００３６】
（実施例３）
実施例１と同様にして、通帳の表紙および本文部ページが同一材料からなる冊子１を準備した。
別に、ＩＤ識別媒体２を固着するため、厚み３０μｍで、大きさが４０ｍｍ×２６ｍｍのＰＥＴフィルムに、図５（Ａ）のように切り込み５ａ，５ｂ，５ｃ，５ｄを設け、さらに片面に両面粘着テープを貼着して固着用切り込み付きフィルム５を準備した。
ＩＤ識別媒体２として、アンテナ外形２８ｍｍ×１２ｍｍの非接触ＩＣタグ（「大日本印刷株式会社製「Ａｃｃｕｗａｖｅ（商標）」）を使用し、その表裏面をシリコーン樹脂で処理して剥離性処理面とした。
このＩＤ識別媒体２を前記粘着テープ付き固着用カバーフィルム３の中央に位置するように通帳の表紙（３）に貼り付けし、その切り込み５ａ，５ｂ，５ｃ，５ｄに非接触ＩＣタグの各角部を挿入して固定し、第１実施形態のＩＤ識別媒体付き冊子１が得られた。
【００３７】
（実施例４）
実施例１と同様にして、通帳の表紙および本文部ページが同一材料からなる冊子１を準備したが、表紙（２）のＩＤ識別媒体２を貼着する位置に、粘着剤層付きマジックテープ（株式会社クラレ「ベルクロＰ−Ｎタイプ」）の幅３０ｍｍのもの（ループ側）を３０ｍｍの長さに切断して貼着した。
ＩＤ識別媒体２として、アンテナ外形２８ｍｍ×１２ｍｍの非接触ＩＣタグ（「大日本印刷株式会社製「Ａｃｃｕｗａｖｅ（商標）」）を使用し、その裏面に前記粘着剤層付きマジックテープの幅３０ｍｍのもの（鉤側）を１２ｍｍの長さに切断して貼着した。
上記マジックテープ６ａ付きＩＤ識別媒体２を、図８のように、表紙（４）のマジックテープ６ｂ面に押圧して固定し、第４実施形態のＩＤ識別媒体付き冊子１が得られた。
【００３８】
実施例１から実施例４のＩＤ識別媒体付き冊子１からＩＤ識別媒体２を剥離して取り出し、新冊子に再度固着または固定して継続使用する試験を行ったが、いずれも支障なく使用できることが確認できた。
【００３９】
以上、本発明の実施形態について主として、金融機関において用いられる通帳を例として説明しているが、繰り返し継続使用を必要とする各種用途に利用できることは明らかである。例えば、年金手帳や母子手帳、あるいは投薬履歴冊子、原子力関連施設における放射線管理手帳等においても同様であり、本発明の適用外とするものではない。
【００４０】
【発明の効果】
以上詳しく説明したように本発明によれば以下の効果が得られる。
本発明は、ＩＤ識別媒体付き冊子は、冊子の記帳頁が満行となり新冊子に更新（繰り越し）を行う際に、ＩＤ識別媒体を旧冊子から取り外しすることが可能であるから取り外したＩＤ識別媒体を新冊子側に再固着または固定し継続使用することができる。
したがって、ＩＤ識別媒体の利用コスト低減を図ることができると共に、冊子を廃棄する際に通常の可燃ゴミとして廃棄可能なエコロジー性を有する。
ＩＤ識別媒体を廃棄することが少なくなるので、個人情報の機密保持にも寄与することになる。
【図面の簡単な説明】
【図１】第１実施形態を示す図である。
【図２】同断面図である。
【図３】第２実施形態を示す図である。
【図４】同断面図である。
【図５】第３実施形態を示す図である。
【図６】同断面図である。
【図７】第３実施形態の他の態様を示す図である。
【図８】第４実施形態を示す断面図である。
【図９】非接触ＩＣタグの例を示す図である。
【符号の説明】
１    冊子
２    ＩＤ識別媒体
３    カバーフィルム
４    被覆フィルム
５    切り込み付きフィルム
６    マジックテープ
７    基材
１５    本文部
【図１】
2004276353.tif 000003
【図２】
2004276353.tif 000004
【図３】
2004276353.tif 000005
【図４】
2004276353.tif 000006
【図５】
2004276353.tif 000007
【図６】
2004276353.tif 000008
【図７】
2004276353.tif 000009
【図８】
2004276353.tif 000010
【図９】
2004276353.tif 000011